(57)【要約】【課題】収音性能の劣化を防止することができる携帯端末装置を提供すること。【解決手段】携帯端末装置が、第１の面と第２の面を有し、第１の面を貫通する第１の開口部が形成された第１の筐体と、第１の筐体内の第１の開口部近傍に設けられる第１のマイクと、第１の筐体の第２の面とスライドするスライド面を有し、スライドによって第１の筐体との重なり範囲が最小範囲となるときに第１のマイクが設けられた位置を含んで第１の筐体と重なり、スライド面と反対側の面のうち最小範囲における面を貫通する第２の開口部が形成された第２の筐体とを有する。【選択図】図８
2011205494.tif 000002
【特許請求の範囲】
【請求項１】
第１の面と該第１の面の反対側の第２の面とを有し、前記第１の面を貫通する第１の開口部が形成された第１の筐体と、
前記第１の筐体内の前記第１の開口部近傍に設けられる第１のマイクと、
前記第１の筐体の第２の面とスライドするスライド面を有し、スライドによって前記第１の筐体との重なり範囲が最小範囲となるときに前記第１のマイクが設けられた位置を含んで前記第１の筐体と重なり、前記スライド面と反対側の面のうち前記最小範囲における面を貫通する第２の開口部が形成された第２の筐体と、
前記第２の筐体内の前記第２の開口部近傍に設けられる第２のマイクと
を有することを特徴とする携帯端末装置。
【請求項２】
前記第１のマイクは、
前記第１の筐体の短手方向の幅における中央近傍に設けられ、
前記第２のマイクは、
前記第２の筐体の短手方向の幅における中央近傍に設けられることを特徴とする請求項１に記載の携帯端末装置。
【請求項３】
前記第１のマイクは、
前記第１の筐体内に設置されるアンテナと電気系統との間における通電を行うケーブルに接続されることを特徴とする請求項１又は２に記載の携帯端末装置。
【発明の詳細な説明】
【技術分野】
【０００１】
本発明は、携帯端末装置に関する。
【背景技術】
【０００２】
携帯電話機などの携帯端末装置には、操作部等を備えた固定側筐体と、液晶表示部等を備えた可動側筐体とがスライド自在に連結されるものがある。スライド型の携帯端末装置は、固定側筐体と可動側筐体とが最大の重なり範囲で重ねられた閉状態である場合に、最も小型の形状になる。したがって、ユーザは、非使用時には閉状態にすることで小型の携帯端末装置を持ち運びできる。また、スライド型の携帯端末装置は、固定側筐体と可動側筐体とが最小の重なり範囲で重ねられた開状態である場合に、各種機能を提供する。例えば、ユーザは、固定側筐体に対して可動側筐体をスライドさせて開状態した後に、携帯端末装置を電話として用いる。
【０００３】
ところで、近年では、携帯端末装置の多機能化が進んでおり、１つの装置に多数の機能が設けられるのが一般的となっている。例えば、携帯電話機にワンセグメント放送の視聴機能が設けられたり、ダブルマイクと呼ばれる２個のマイクを備えることで通話時に混入する周囲の雑音を低減する機能等が設けられたりする。
【０００４】
ここで、図９〜図１３を用いて、ダブルマイクを備える従来のスライド型携帯電話機について説明する。図９は、従来のスライド型携帯電話機の前面側外観例を示す斜視図である。図９に示すように、従来の携帯電話機２００は、可動側筐体２１０と、固定側筐体２２０とを備える。可動側筐体２１０と固定側筐体２２０とは、相互にスライド自在に連結される。なお、図９は、固定側筐体２２０に対して可動側筐体２１０がスライドされた開状態を示している。
【０００５】
可動側筐体２１０は、液晶表示部等が設けられる。固定側筐体２２０は、操作キー等が設けられる。なお、以下では、図９に示した固定側筐体２２０の操作キーが備えられた面を「前面」と表記する場合があり、固定側筐体２２０の操作キーが備えられた面の裏面を「背面」と表記する場合がある。かかる固定側筐体２２０は、操作キー側に位置する前面外装ケース２２１と、背面側に位置する背面外装ケース２２２との２つ割り構造である。前面外装ケース２２１は、開口部２２３が設けられる。開口部２２３は、固定側筐体２２０内部の前面側に備えられたマイクへ通じる貫通孔である。
【０００６】
図１０は、従来の固定側筐体２２０内部の前面側に備えられたマイク周辺の拡大図である。図１０に示すように、固定側筐体２２０は、内部にメイン基板２２４が配置される。そして、メイン基板２２４には、開口部２２３の近傍にマイク２２５が設置される。例えば、マイク２２５は、開口部２２３に対応するメイン基板２２４上の位置に設置される。これにより、ユーザが発する発話音声は、開口部２２３から固定側筐体２２０の内部へ進入し、前面側に備えられたマイク２２５によって収音される。
【０００７】
図１１は、従来のスライド型携帯電話機２００の背面側外観例を示す斜視図である。図１１に示すように、固定側筐体２２０の背面外装ケース２２２には、開口部２２７が設けられた電池カバーケース２２６が装着される。開口部２２７は、固定側筐体２２０内部の背面側に備えられたマイクへ通じる貫通孔である。
【０００８】
図１２は、従来の固定側筐体２２０内部の背面側に備えられたマイク周辺の拡大図である。図１２に示すように、固定側筐体２２０内のメイン基板２２４には、開口部２２７の近傍にマイク２２８が設置される。これにより、携帯電話機２００の周囲の音は、開口部２２７から固定側筐体２２０の内部へ進入し、背面側に備えられたマイク２２８によって収音される。これにより、携帯電話機２００は、マイク２２５によって収音される発話音声から、マイク２２８によって収音される周辺音を削除することにより、通話時に混入する雑音を低減することができる。
【０００９】
図１３は、図９のＩ−Ｉ線における断面を模式的に示す図である。図１３に示すように、前面側のマイク２２５及び背面側のマイク２２８は、双方の近傍に設置される。例えば、マイク２２５とマイク２２８とは、メイン基板２２４面に対する垂直方向に略同一の位置に設置される。これにより、マイク２２８は、マイク２２５周辺の音を収音することができる。その結果、携帯電話機２００は、通話時に混入する雑音をより低減することができる。
【先行技術文献】
【特許文献】
【００１０】
【特許文献１】特開２００３−３３８７６９号公報
【特許文献２】特開２００６−３４５２４６号公報
【発明の概要】
【発明が解決しようとする課題】
【００１１】
しかしながら、上記の従来技術には、収音性能が劣化するおそれがあるという問題がある。具体的には、図９に示した携帯電話機２００は、電話として用いられる場合に、開口部２２３及び開口部２２７がユーザの手によって塞がれてしまうおそれがある。開口部２２３及び開口部２２７が塞がれた場合に、マイク２２５は、ユーザが発する発話音声を十分に収音できない場合があり、マイク２２８は、周囲音を十分に収音できない場合がある。このことは、高品質な発話音声を通話相手先に送信できないという問題や、周囲の雑音を低減することが困難になるという問題を招く。
【００１２】
上述したように、スライド型の携帯端末装置は、電話として用いられる場合には一般的には開状態となる。このため、スライド型携帯端末装置については、マイクを配置する位置がある程度限られてくる。また、ダブルマイク構造を採用するスライド型携帯端末装置については、２個のマイクが近傍に位置することが望ましいので、マイクの配置位置はさらに限られてくる。このようなことから、ダブルマイク構造を採用するスライド型携帯端末装置は、図９に示した例のような位置にマイクが配置されており、その結果、開口部が塞がれることで収音性能が劣化するおそれがあった。
【００１３】
開示の技術は、上記に鑑みてなされたものであって、収音性能の劣化を防止することができる携帯端末装置を提供することを目的とする。
【課題を解決するための手段】
【００１４】
本願の開示する携帯端末装置は、一つの態様において、第１の面と該第１の面の反対側の第２の面とを有し、前記第１の面を貫通する第１の開口部が形成された第１の筐体と、前記第１の筐体内の前記第１の開口部近傍に設けられる第１のマイクと、前記第１の筐体の第２の面とスライドするスライド面を有し、スライドによって前記第１の筐体との重なり範囲が最小範囲となるときに前記第１のマイクが設けられた位置を含んで前記第１の筐体と重なり、前記スライド面と反対側の面のうち前記最小範囲における面を貫通する第２の開口部が形成された第２の筐体と、前記第２の筐体内の前記第２の開口部近傍に設けられる第２のマイクとを備える。
【発明の効果】
【００１５】
本願の開示する携帯端末装置の一つの態様によれば、収音性能の劣化を防止することができるという効果を奏する。
【図面の簡単な説明】
【００１６】
【図１】図１は、実施例に係る携帯電話機の前面側外観例を示す斜視図である。
【図２】図２は、実施例に係る携帯電話機の背面側外観例を示す斜視図である。
【図３】図３は、可動側筐体内部の前面側に備えられるマイク周辺の拡大図である。
【図４】図４は、可動側筐体内部の前面側に備えられるマイク周辺の拡大図である。
【図５】図５は、フレキシブルケーブルの拡大図である。
【図６】図６は、フレキシブルケーブルの拡大図である。
【図７】図７は、固定側筐体内部の背面側に備えられるマイク周辺の拡大図である。
【図８】図８は、図１のＩＩ−ＩＩ線における断面を模式的に示す図である。
【図９】図９は、従来のスライド型携帯電話機の外観例を示す斜視図である。
【図１０】図１０は、従来の固定側筐体内部の前面側に備えられたマイク周辺の拡大図である。
【図１１】図１１は、従来のスライド型携帯電話機の背面側外観例を示す斜視図である。
【図１２】図１２は、従来の固定側筐体内部の背面側に備えられたマイク周辺の拡大図である。
【図１３】図１３は、図９のＩ−Ｉ線における断面を模式的に示す図である。
【発明を実施するための形態】
【００１７】
以下に、本願の開示する携帯端末装置の実施例を図面に基づいて詳細に説明する。なお、この実施例により本願の開示する携帯端末装置が限定されるものではない。例えば、以下の実施例では、本願の開示する携帯端末装置を携帯電話機に適用する例を示すが、本願の開示する携帯端末装置は、ＰＤＡ（Personal  Digital  Assistant）などの他の携帯端末装置にも適用することができる。
【実施例】
【００１８】
本実施例に係る携帯電話機は、ダブルマイクの構成を採っており、一方のマイクが可動側筐体内に配置され、他方のマイクが固定側筐体に配置される。以下に、各マイクの配置位置等について説明する。まず、図１を用いて、本実施例に係る携帯電話機の外観について説明する。図１は、本実施例に係る携帯電話機１００の前面側外観例を示す斜視図である。図１に示すように、本実施例に係る携帯電話機１００は、可動側筐体１１０と、固定側筐体１２０とを備える。
【００１９】
なお、以下では、可動側筐体１１０の液晶表示部が備えられた面を「前面」と表記する場合があり、可動側筐体１１０の液晶表示部が備えられた面の裏面を「背面」と表記する場合がある。また、固定側筐体１２０の操作キーが備えられた面を「前面」と表記する場合があり、固定側筐体１２０の操作キーが備えられた面の裏面を「背面」と表記する場合がある。
【００２０】
可動側筐体１１０及び固定側筐体１２０は、図示しない連結部によって可動自在に連結される。かかる連結部は、スライド機構であり、可動側筐体１１０及び固定側筐体１２０をスライド自在に連結する。なお、図１は、可動側筐体１１０がスライドされて、可動側筐体１１０と固定側筐体１２０とが最小の重なり範囲で重なった開状態を示している。このようなスライド型の携帯電話機１００は、一般に、非使用時には可動側筐体１１０と固定側筐体１２０とが重ねられて閉状態となる。また、携帯電話機１００は、固定側筐体１２０に設けられたキー操作時には、可動側筐体１１０が固定側筐体１２０に対して長手方向にスライドさせられ開状態となる。
【００２１】
可動側筐体１１０は、図１に示すように、前面外装ケース１１１と、背面外装ケース１１２とを有する。前面外装ケース１１１は、閉状態時における携帯電話機１００の外面となる。また、背面外装ケース１１２は、閉状態時における携帯電話機１００の内側に位置する。
【００２２】
前面外装ケース１１１は、通話音声を受話する受話部１１３、各種情報を表示する液晶表示部１１４、前面外装ケース１１１を貫通する開口部１１５等が設けられる。開口部１１５は、可動側筐体１１０内部の前面側に備えられた図示しないマイクへ通じる貫通孔である。図１に示した例において、開口部１１５は、可動側筐体１１０の前面外装ケース１１１のうち、液晶表示部１１４の下部に設けられる。言い換えれば、開口部１１５は、開状態時における携帯電話機１００の長手方向の中央近傍に設けられる。また、図１に示した例において、開口部１１５は、可動側筐体１１０の短手方向の幅Ｄ１における中央近傍に設けられる。
【００２３】
このように、本実施例に係る携帯電話機１００は、液晶表示部１１４の下部に開口部１１５が設けられるので、電話として用いられる場合であっても、ユーザによって開口部１１５が塞がれにくい。これは、一般に、ユーザは、携帯電話機１００を電話として用いる場合に、携帯電話機１００の長手方向の中央近傍を保持しないからである。さらに、本実施例に係る携帯電話機１００は、可動側筐体１１０の短手方向の幅Ｄ１における中央近傍に開口部１１５が設けられる。一般に、ユーザは、携帯電話機１００を電話として用いる場合に、携帯電話機１００の長手方向の中央近傍かつ短手方向の中央近傍を保持しない。したがって、本実施例に係る携帯電話機１００は、ユーザによって開口部１１５が塞がれることを防止することができる。
【００２４】
固定側筐体１２０は、可動側筐体１１０との重なり範囲が最小範囲Ｈ１０となるときに、開口部１１５が設けられた位置を含んで可動側筐体１１０と重なる。言い換えれば、固定側筐体１２０は、開状態又は閉状態のいずれの状態であっても、可動側筐体１１０の開口部１１５と重なる。
【００２５】
また、固定側筐体１２０は、図１に示すように、前面外装ケース１２１と、背面外装ケース１２２とを有する。前面外装ケース１２１は、閉状態時における携帯電話機１００の内側に位置する。また、背面外装ケース１２２は、閉状態時における携帯電話機１００の外面となる。前面外装ケース１２１は、多機能キー、決定キー、ダイヤルキー、テンキー等の操作キーを有するキーパッド１２３が設けられる。
【００２６】
次に、図２を用いて、本実施例に係る携帯電話機１００の背面側の外観について説明する。図２は、本実施例に係る携帯電話機１００の背面側外観例を示す斜視図である。図２に示すように、固定側筐体１２０の背面外装ケース１２２は、背面外装ケース１２２を貫通する開口部１２４が設けられる。
【００２７】
開口部１２４は、固定側筐体１２０内部の背面側に備えられた図示しないマイクへ通じる貫通孔である。かかる開口部１２４は、背面外装ケース１２２のうち、可動側筐体１１０と固定側筐体１２０との最小の重なり範囲である最小範囲Ｈ１０における部位に設けられる。また、図２に示した例において、開口部１２４は、固定側筐体１２０の短手方向の幅Ｄ１における中央近傍に設けられる。
【００２８】
このように、本実施例における携帯電話機１００は、固定側筐体１２０上の中央近傍に開口部１２４が設けられる。このため、携帯電話機１００は、電話として用いられる場合であっても、ユーザによって開口部１２４が塞がれにくい。
【００２９】
次に、図３及び図４を用いて、可動側筐体１１０内部に備えられるマイクについて説明する。図３及び図４は、可動側筐体１１０内部の前面側に備えられるマイク周辺の拡大図である。なお、図３は、図１に示したＡ矢視による背面外装ケース１１２の部分拡大図を示す。また、図４は、図１に示したＢ矢視による前面外装ケース１１１の部分拡大図を示す。
【００３０】
図３に示すように、可動側筐体１１０の背面外装ケース１１２には、液晶表示部１１４や、フレキシブルケーブル１３０等が設けられる。液晶表示部１１４は、例えば、ＬＣＤ（Liquid  Crystal  Display）モジュール等であり、各種情報を表示する。なお、液晶表示部１１４は、図示しないタッチパッドと協働して入力機能として動作するタッチパネルとなる場合もある。
【００３１】
フレキシブルケーブル１３０は、ＦＭ（Frequency  Modulation）トランスミッタアンテナ１３１と一体化されており、可動側筐体１１０内の図示しない電気系統と接続される。すなわち、フレキシブルケーブル１３０は、ＦＭトランスミッタアンテナ１３１と、可動側筐体１１０内の図示しない電気系統との間における通電を行う。かかるフレキシブルケーブル１３０は、締結部材１３２ａによって背面外装ケース１１２に締結される。
【００３２】
また、本実施例における可動側筐体１１０は、前面外装ケース１１１の開口部１１５の近傍にマイク１１６が設置される。具体的には、図３に示すように、マイク１１６は、フレキシブルケーブル１３０上に設置される。例えば、マイク１１６は、開口部１１５に対応するフレキシブルケーブル１３０上の位置に設置される。すなわち、フレキシブルケーブル１３０は、マイク１１６と可動側筐体１１０内の図示しない電気系統との間における通電も行う。これにより、ユーザが発する発話音声は、開口部１１５から可動側筐体１１０の内部へ進入し、前面側に備えられたマイク１１６によって収音される。
【００３３】
続いて、図４を用いて、図３に示したフレキシブルケーブル１３０が前面外装ケース１１１に配置された状態について説明する。図４に示すように、前面外装ケース１１１には、ＦＰＣ（Flexible  Printed  Circuit）コネクタ１１７、ＬＣＤフレキシブルケーブル１１８、タッチパネルフレキシブルケーブル１１９等が設けられる。
【００３４】
ＦＰＣコネクタ１１７は、フレキシブルケーブル１３０が接続されるコネクタであり、フレキシブルケーブル１３０に設けられたＦＭトランスミッタアンテナ１３１及びマイク１１６と、基板等との間における通電を行う。ＬＣＤフレキシブルケーブル１１８は、液晶表示部１１４であるＬＣＤモジュールと基板等との間における通電を行う。タッチパネルフレキシブルケーブル１１９は、図示しないタッチパッドと基板等との間における通電を行う。
【００３５】
次に、図５及び図６を用いて、フレキシブルケーブル１３０について説明する。図５及び図６は、フレキシブルケーブル１３０の拡大図である。図５及び図６に示すように、フレキシブルケーブル１３０は、フレキ孔１３２ｂが形成される。フレキ孔１３２ｂは、図３に示した締結部材１３２ａが挿通される孔である。すなわち、図３に示した締結部材１３２ａは、フレキ孔１３２ｂを挿通することにより、フレキシブルケーブル１３０と背面外装ケース１１２とを締結する。
【００３６】
また、図５及び図６に示すように、フレキシブルケーブル１３０は、一端にＦＭトランスミッタアンテナ１３１が設けられており、他端にＦＰＣコネクタ挿入部１３４が形成される。ＦＰＣコネクタ挿入部１３４は、図４に示したＦＰＣコネクタ１１７に挿入される。ＦＰＣコネクタ挿入部１３４がＦＰＣコネクタ１１７に挿入され、フレキシブルケーブル１３０は、可動側筐体１１０内の図示しない電気系統と接続される。これにより、フレキシブルケーブル１３０は、ＦＭトランスミッタアンテナ１３１及びマイク１１６と、可動側筐体１１０内の図示しない電気系統との間における通電を行うことが可能になる。
【００３７】
このように、本実施例に係る携帯電話機１００は、ＦＭトランスミッタアンテナ１３１が接続されるフレキシブルケーブル１３０上にマイク１１６が設けられるので、マイク１１６専用のフレキシブルケーブルを要しない。これにより、本実施例に係る携帯電話機１００は、内部点数の増大を防止することができる。
【００３８】
また、本実施例に係る携帯電話機１００は、フレキシブルケーブル１３０上の空きスペースにマイク１１６が設けられるので、マイク１１６を設置するスペースを新たに要しない。これにより、本実施例に係る携帯電話機１００は、マイク１１６を有する場合であっても、実装スペースが増大することを防止できる。
【００３９】
次に、図７を用いて、固定側筐体１２０内部に備えられるマイクについて説明する。図７は、固定側筐体１２０内部の背面側に備えられるマイク周辺の拡大図である。図７に示すように、固定側筐体１２０は、内部にリア基板１２５が設けられる。リア基板１２５は、種々の電子部品を実装する。
【００４０】
本実施例における固定側筐体１２０は、背面外装ケース１２２の開口部１２４の近傍におけるリア基板１２５上にマイク１２６が設置される。例えば、マイク１２６は、開口部１２４に対応するリア基板１２５上の位置に設置される。これにより、携帯電話機１００の周囲の音は、開口部１２４から固定側筐体１２０の内部へ進入し、マイク１２６によって収音される。
【００４１】
そして、本実施例に係る携帯電話機１００は、マイク１１６によって収音される発話音声から、マイク１２６によって収音される周辺音を削除することにより、通話時に混入する雑音を低減することができる。
【００４２】
次に、図８を用いて、本実施例に係る携帯電話機１００が有するマイク１１６及びマイク１２６の位置関係について説明する。図８は、図１のＩＩ−ＩＩ線における断面を模式的に示す図である。なお、図８は、可動側筐体１１０がスライドされて、可動側筐体１１０と固定側筐体１２０とが最小の重なり範囲で重なった開状態を示している。
【００４３】
図８に示すように、可動側筐体１１０は、液晶表示部１１４側に位置する表示面１１０ａと、表示面１１０ａの反対側の背面１１０ｂとを有する。そして、可動側筐体１１０は、表示面１１０ａを貫通する開口部１１５が形成される。そして、マイク１１６は、可動側筐体１１０内の開口部１１５の近傍に設けられる。
【００４４】
また、図８に示すように、固定側筐体１２０は、可動側筐体１１０の背面１１０ｂとスライドするスライド面１２０ａと、スライド面１２０ａと反対側の背面１２０ｂとを有する。なお、スライド面１２０ａは、キーパッド１２３側に位置する面である。
【００４５】
そして、固定側筐体１２０は、可動側筐体１１０がスライドすることによって、可動側筐体１１０との重なり範囲が最小範囲Ｈ１０となるときに、マイク１１６が設けられた位置を含んで可動側筐体１１０と重なる。さらに、固定側筐体１２０は、背面１２０ｂのうち最小範囲Ｈ１０における面を貫通する開口部１２４が形成される。そして、マイク１２６は、固定側筐体１２０内の開口部１２４の近傍に設けられる。
【００４６】
すなわち、本実施例に係る携帯電話機１００では、固定側筐体１２０と可動側筐体１１０との重なり範囲が最小範囲Ｈ１０となるときに、かかる最小範囲Ｈ１０内に開口部１１５及び１２４が位置する。言い換えれば、本実施例に係る携帯電話機１００では、最小範囲Ｈ１０内にマイク１１６及びマイク１２６が位置する。
【００４７】
一般に、携帯電話機１００のようにダブルマイクの構成を採っている携帯電話機は、２個のマイクが近傍に位置することが望ましい。これは、一方のマイクによって収音される発話音声から、他方のマイクによって収音される周辺音を削除することにより、通話時に混入する雑音を低減するからである。すなわち、２個のマイクが近傍に位置することにより、他方のマイクが、発話音声を収音する一方のマイクの周辺音を収音することができ、その結果、携帯電話機は、通話時に混入する雑音を低減することが可能になる。また、携帯電話機１００のようなスライド型の携帯電話機は、電話として用いられる場合には、一般に開状態となる。本実施例に係る携帯電話機１００は、図８に示した例のように、開状態である場合に、マイク１１６とマイク１２６とが近傍に位置する。このため、本実施例に係る携帯電話機１００は、通話時に混入する雑音を低減することができる。
【００４８】
上述してきたように、本実施例に係る携帯電話機１００は、可動側筐体１１０上の液晶表示部１１４下部に開口部１１５が設けられる。また、発話音声を収音するマイク１１６は、可動側筐体１１０内の開口部１１５近傍に設けられる。また、本実施例に係る携帯電話機１００は、固定側筐体１２０上の中央近傍に開口部１２４が設けられる。また、周囲音を収音するマイク１２６は、固定側筐体１２０内の開口部１２４近傍に設けられる。さらに、本実施例に係る携帯電話機１００は、図８に示した例のように、開状態である場合に、マイク１１６とマイク１２６とが近傍に位置する。
【００４９】
これにより、本実施例に係る携帯電話機１００は、通話に利用されている状況において、ユーザによって開口部１１５及び開口部１２４が塞がれる可能性が低い。したがって、本実施例に係る携帯電話機１００は、ユーザが発する発話音声を高精度に収音することができるとともに、周囲音を高精度に収音することができる。このように、本実施例に係る携帯電話機１００は、収音性能の劣化を防止することができるので、通話時に混入する周囲の雑音を低減することができ、高品質な発話音声を通話相手先に送信できる。
【００５０】
また、本実施例に係る携帯電話機１００において、開口部１１５は、可動側筐体１１０の前面外装ケース１１１のうち、可動側筐体１１０の短手方向の幅Ｄ１における中央近傍に設けられる。すなわち、マイク１１６は、可動側筐体１１０の短手方向の幅Ｄ１における中央近傍に配置される。また、開口部１２４は、固定側筐体１２０の背面外装ケース１２２のうち、固定側筐体１２０の短手方向の幅Ｄ１における中央近傍に設けられる。すなわち、マイク１２６は、固定側筐体１２０の短手方向の幅Ｄ１における中央近傍に配置される。これにより、本実施例に係る携帯電話機１００は、電話として用いられる場合であっても、ユーザによって開口部１１６及び開口部１２４が塞がれることを防止できる。その結果、本実施例に係る携帯電話機１００は、通話時に混入する周囲の雑音を低減することができ、高品質な発話音声を通話相手先に送信できる。また、本実施例に係る携帯電話機１００は、開口部１１５及び開口部１２４が筐体の短手方向の幅Ｄ１における中央近傍に設けられることで、デザインに統一感を出すことができる。
【００５１】
また、本実施例に係る携帯電話機１００は、ＦＭトランスミッタアンテナ１３１に接続されるフレキシブルケーブル１３０上の空きスペースにマイク１１６が設けられる。これにより、本実施例に係る携帯電話機１００は、フレキシブルケーブル等の部品点数が増大することを防止できるとともに、実装スペースが増大することを防止できる。
【００５２】
また、本実施例に係る携帯電話機１００は、可動側筐体１１０の液晶表示部１１４側に開口部１１５が設けられるので、閉状態であっても、開口部１１５が筐体によって塞がれることがなく、その結果、ユーザが発する発話音声を高精度に収音することができる。
【００５３】
なお、上記実施例では、図１に示した例のように、開口部１１５が可動側筐体１１０の短手方向の幅Ｄ１における中央近傍に設けられ、開口部１２４が固定側筐体１２０の短手方向の幅Ｄ１における中央近傍に設けられる例を示した。しかし、開口部１１５は、可動側筐体１１０の短手方向の幅Ｄ１における中央近傍に設けられなくてもよく、開口部１２４は、固定側筐体１２０の短手方向の幅Ｄ１における中央近傍に設けられなくてもよい。かかる場合であっても、マイク１１６は、開口部１１５の近傍に配置され、マイク１２６は、開口部１２４の近傍に配置される。さらに、かかる場合であっても、開口部１１５及び１２４は、可動側筐体１１０及び固定側筐体１２０のスライド面に対する垂直方向に略同一の位置に設置されることが望ましい。これにより、開口部１１５及び１２４が可動側筐体１１０又は固定側筐体１２０の短手方向の幅Ｄ１の中央近傍に設けられなくても、マイク１１６及びマイク１２６は近傍に位置することになる。
【００５４】
また、上記実施例では、ＦＭトランスミッタアンテナ１３１と一体化されたフレキシブルケーブル１３０上にマイク１１６が設置される例を示した。しかし、マイク１１６が配置されるフレキシブルケーブルは、ＦＭトランスミッタアンテナに限られず、他の種類のマイクと一体化されたフレキシブルケーブルであってもよい。
【符号の説明】
【００５５】
１００  携帯電話機
１１０  可動側筐体
１１０ａ  表示面
１１０ｂ  背面
１１１  前面外装ケース
１１２  背面外装ケース
１１３  受話部
１１４  液晶表示部
１１５  開口部
１１６  マイク
１１７  ＦＰＣコネクタ
１１８  ＬＣＤフレキシブルケーブル
１１９  タッチパネルフレキシブルケーブル
１２０  固定側筐体
１２０ａ  スライド面
１２０ｂ  背面
１２１  前面外装ケース
１２２  背面外装ケース
１２３  キーパッド
１２４  開口部
１２５  リア基板
１２６  マイク
１３０  フレキシブルケーブル
１３１  ＦＭトランスミッタアンテナ
１３２ａ  締結部材
１３２ｂ  フレキ孔
１３４  ＦＰＣコネクタ挿入部
２００  携帯電話機
２１０  可動側筐体
２２０  固定側筐体
２２１  前面外装ケース
２２２  背面外装ケース
２２３  開口部
２２４  メイン基板
２２５  マイク
２２６  電池カバーケース
２２７  開口部
２２８  マイク
【図１】
2011205494.tif 000003
【図２】
2011205494.tif 000004
【図３】
2011205494.tif 000005
【図４】
2011205494.tif 000006
【図５】
2011205494.tif 000007
【図６】
2011205494.tif 000008
【図７】
2011205494.tif 000009
【図８】
2011205494.tif 000010
【図９】
2011205494.tif 000011
【図１０】
2011205494.tif 000012
【図１１】
2011205494.tif 000013
【図１２】
2011205494.tif 000014
【図１３】
2011205494.tif 000015